(57)【要約】密集化アセンブリの適用方法のため、受容毛髪の分離装置（５１）は、等距離であり、毛髪の部分を基本的に受容毛髪と同じ量を含む部分に再分割する第１の分離歯要素（５２）；第１の歯の要素（５２）によって、一方に区切られる前記粘着テープ（２）を適切な位置に配置するための支持面（５３）；および、前記第１の歯の要素（５２）に関して、反対側に配置され、後者に関してより大きな密度およびその間で挿入される受容毛髪を押さえる隙間を有する第２の歯の要素（５５）からなる。
2007516361.tif 000002
【特許請求の範囲】
【請求項１】
毛髪を密集化させる方法であって、＊それぞれの連結要素（９）を備えたそれぞれの近接端部（７）を有する第１の複数（Ａ）のヘアエクステンション（Ｃ）の提供； ＊第１の粘着面（４３）を有する第１の粘着テープ（２）の提供、および、所定の配置による前記第１の粘着面（４３）上への前記近接端部（７）の配置； ＊毛髪が密集化される部分（Ｔ）への分離装置の配置、その結果、前記部分は、基本的に受容毛髪の同じ量を含んで、隣接した部分（６０）において分離され、各々の部分（６０）は、前記粘着テープ（２）に配置される連結要素に対応し、前記他の部分（６０）から等距離である； ＊密集化される毛髪の張力をかけられた前記部分の保持； ＊前記第１のテープ（２）に重ねられる第２の粘着テープ（４）の提供、および、前記第１および第２の粘着テープ（２、４）の間での、受容毛髪の前記各部（６０）における前記連結要素（９）を配置する密集化される毛髪（Ｔ）の前記部分の包囲； ＊毛髪のそれぞれの部分（Ｔ）からの前記分離装置（５１）の除去；および、 ＊ヘアエクステンション（Ｃ）の前記連結要素（１０）に作動している連結手段（１０）の活性化のステップからなる方法。
【請求項２】
請求項１に記載の方法であって、前記第２のテープ（４）は、前記第１の複数（Ａ）のそれぞれの連結要素（９）に重なるように間隔が置かれたそれぞれの連結要素（９）を備えたそれぞれの近接端部（７）を有する第２の複数（Ｂ）のヘアエクステンション（Ｃ）がその上に配置されたそれぞれの第２の粘着面（４４）を有し、前記連結手段は、両方の前記複数（Ａ、Ｂ）の前記連結要素（９）上で同時に作動するようにされている方法。
【請求項３】
先行する請求項の１つに記載の方法であって、前記第１および第２の粘着テープ（２、４）は、２つの異なった粘着テープ部分によって形成される方法。
【請求項４】
先行する請求項の１つに記載の方法であって、前記連結要素（９）が熱可塑性材料からなる方法。
【請求項５】
請求項４に記載の方法であって、前記連結手段はエネルギの適用によって活性化される方法。
【請求項６】
請求項５に記載の方法であって、熱が適用される方法。
【請求項７】
先行する請求項のいずれか１つに記載の方法であって、前記ヘアエクステンション（Ｃ）の寸法、数および／または密度に関連がある指示（５０）により分離装置を選ぶステップからなる方法。
【請求項８】
密集化アセンブリ（１）の適用のため、受容毛髪のための分離装置であって、＊それぞれの連結要素（９）を備えたそれぞれの近接端部（７）を有する複数のヘアエクステンション（Ｃ）； ＊所定の配置に従って前記近接端部（７）が配置される粘着面（４３）を有する粘着テープ（２）； からなり、前記分離装置は、 ＊等距離であり、基本的に受容毛髪と同じ量を含む部分に毛髪の一部を再分割するような第１の分離歯要素（５２）； ＊前記第１の歯の要素（５２）によって片面が区切られた位置に前記粘着テープ（２）を配置するための支持面（５３）； および、＊前記第１の歯の要素（５２）に関して反対側に配置され、その間で挿入される前記受容毛髪を止めるように後者に関してより大きな密度および隙間を有する第２の歯の要素（５５）を含むことにおいて特徴付けられる分離装置。
【請求項９】
請求項８に記載の装置であって、前記第１の歯の要素（５２）は、基本的に三角形である装置。
【請求項１０】
請求項１に記載の装置であって、前記第１の歯の要素（５２）は、前記支持面（５３）の対向側に配置される装置。
【請求項１１】
請求項８に記載の装置であって、前記支持面（５３）は前記テープ（２）のそれに等しい幅を有する装置。
【請求項１２】
請求項８に記載の装置であって、横向きの前記支持面（５３）は、前記密集化アセンブリ（１）の正しい位置決めのために少なくとも１つのギザギザ形の止め具（５４）からなる装置。
【請求項１３】
請求項８に記載の装置（５１）であって、少なくとも１つのハンドル（５７）からなる装置。
【請求項１４】
請求項１３に記載の装置（５１）であって、横向きに配置される一対の対向するハンドルからなる装置。
【請求項１５】
請求項８に記載の装置（５１）であって、前記第２の歯要素（５５）に対応する位置において、予め設定された位置に前記受容毛髪および前記ヘアエクステンションを固定する手段からなる装置。
【請求項１６】
請求項１４に記載の装置（５１）であって、前記固定する手段は、前記毛髪に横向きに回転するバネ締金（５８）からなる装置。
【請求項１７】
請求項８から１６の１つに記載の装置（５１）であって、前記アセンブリ（１）の前記表面を固定されないように前記装置（５１）に配置される場合、前記密集化アセンブリを受けやすい取り外し可能な把持部からなる装置。
【請求項１８】
毛髪（１）を密集化させるためのアセンブリ（１）であって、＊第１の複数（A）のヘアエクステンション（Ｃ）の連結要素（９）がそれぞれの末端（７）でその上で配置される粘着面（４３）を有する毛髪に反転可能に固着されやすい第１の粘着テープ（２）、および、＊第２の複数（Ｂ）のヘアエクステンション（Ｃ）の連結要素（９）がそれぞれの末端（７）でその上で配置される粘着面（４４）を有する毛髪に反転可能に固着されやすい第２の粘着テープ（４）からなり、前記テープ（２、４）は、位置決め要素が交替で重ねられる場合、前記第１および第２の複数（Ａ、Ｂ）の前記エクステンションの連結要素（９）を重ねるように位置決め要素を有するアセンブリ。
【請求項１９】
請求項１８に記載のアセンブリ（１）であって、前記第１および第２の粘着テープ（２、４）は、異なった粘着テープ部分から構成されているアセンブリ。
【請求項２０】
請求項１９に記載のアセンブリ（１）であって、前記位置決め要素は、前記粘着テープ（２、４）の角に配置された孔（６）であるアセンブリ。
【請求項２１】
請求項１８から２０の１つに記載のアセンブリ（１）であって、前記第１および第２の粘着テープ（２、４）が略透明であるアセンブリ。
【請求項２２】
請求項１８から２１の１つに記載のアセンブリ（１）であって、前記粘着面（４３、４４）は永続せず、反転可能なタイプの接着剤を有し、圧力によって作動するアセンブリ。
【請求項２３】
請求項１８から２２の１つに記載のアセンブリ（１）であって、前記連結要素（９）が熱可塑性材料でできているアセンブリ。
【請求項２４】
請求項１８から２３の１つに記載のアセンブリ（１）であって、前記連結要素（９）は、略等距離であり、前記それぞれの粘着テープ（２、４）の中央に配置され、前記ヘアエクステンション（Ｃ）は、互いに平行して整列配置されるので、隣接した前記ヘアエクステンション（Ｃ）の毛髪は、互いにもつれないアセンブリ。
【請求項２５】
請求項１８から２４の１つに記載のアセンブリ（１）であって、前記粘着面（４３、４４）に使用される前記接着材料は、前記それぞれの粘着テープ（２、４）上で前記連結要素（９）の前記材料上で生じる力よりも大きい接着力を有するので、後者において、接着材料の残留物が適用の終了後は残らないアセンブリ。
【請求項２６】
請求項１８から２５の１つに記載のアセンブリ（１）であって、前記それぞれの粘着面（４３、４４）に配置されるものの反対側の前記連結要素（９）の面は、その端が前記ヘアエクステンション（Ｃ）の前記毛髪に並列である長手方向のリブ（３）を有するアセンブリ。
【請求項２７】
請求項２６に記載のアセンブリ（１）であって、各々のリブ（３）は略Ｖ型の部分を有するアセンブリ。
【請求項２８】
ヘアエクステンション（Ｃ）の天然の毛髪への適用により毛髪を密集化させるために使われる種類のヘアエクステンション・アプリケータ（１０）であって、＊テープ（２）上でヘアエクステンション（Ｃ）の連結要素（９）、および、分離され、それぞれの連結要素（９）に対応する密集化される髪（７）の受容毛髪（６０）の対応する部分を支える固定された対照的な要素（１２）；および、＊前記固定された要素（１２）に作用する移動可能な圧力要素（１５）であって、前記移動可能な圧力要素（１５）は、ヘアエクステンション（Ｃ）の連結要素（９）およびテープ（２、４）によって囲まれた密集化される（Ｔ）毛髪の受容毛髪（６０）の対応している部分を押圧するのに適当である所定の圧力で作動している空気圧装置によって駆動される圧力要素（１５）からなり、
前記テープ（６１；６４）、前記連結要素（９）、および、前記毛髪の部分（６０）を前記固定された押圧要素（１２、１５）上の所定の位置に配置する手段を備えることにおいて特徴付けられるヘアエクステンション・アプリケータ。
【請求項２９】
請求項２８に記載のアプリケータ（１０）であって、前記押圧要素（１５）によって押圧される場合、それぞれの連結要素（９）を受容するような位置における前記固定された押圧要素（１２、１５）のそれぞれの凹部（７３、７６）からなるアプリケータ。
【請求項３０】
請求項２８に記載のアプリケータ（１９）であって、前記固定された要素および前記押圧要素（１２、１５）は、それらの支持面（１３、１６）でそれぞれのサーミスタ（２４、２５）を備えるアプリケータ。
【請求項３１】
請求項２８に記載のアプリケータ（１０）であって、前記テープを配置するための手段は把持部（６１）からなるアプリケータ。
【請求項３２】
請求項２８に記載のアプリケータ（１０）であって、前記テープを配置するための手段はギザギザ形の止め具（６４）からなるアプリケータ。
【請求項３３】
請求項２８から３２の１つに記載のアプリケータ（１０）であって、前記固定され移動可能な押圧要素（１２、１５）は、取り外し可能なプレート（７１、７２）の上に形成されるそれぞれの支持面（１３、１６）を有するアプリケータ。
【請求項３４】
請求項３３に記載のアプリケータ（１０）であって、各々の取り外し可能なプレート（７１、７２）の下で、シルクスクリーン技術で印刷された熱を生成するために電気的に連結される前記サーミスタ（２４、２５）が存在し、前記プレート（７１、７２）は、高い熱伝導率を有する薄い金属材料であるアプリケータ。
【請求項３５】
請求項３３に記載のアプリケータ（１０）であって、前記第１の取り外し可能なプレート（７１）は、図面において、第１のテープ（２）に配置される前記連結要素（９）を受容するように前もって設定される基本的に楕円形または楕円である複数の凹部（７３）を有し、前記第２の取り外し可能なプレート（７２）は、各々が前記凹部（７３）に対応する複数のパンチ（７５）を有し、前記パンチ（７５）は、それぞれの凹部（７３）に適合するような構成を有し、その上面に略楕円形または楕円形状で、本質的に刃縁（７７）を有する凹部（７６）を有するアプリケータ。
【請求項３６】
請求項２８から３５の１つに記載のアプリケータ（１０）であって、前記固定された要素（１２）上の前記支持面（１３）は、軟らかい、柔軟性をもつ材料であるアプリケータ。
【請求項３７】
請求項３３、３４の１つ、および、請求項３６に記載のアプリケータ（１９）であって、前記第２のプレート（７２）は、前記第１の支持面（１３）の前記柔軟性をもつ表面と協働する対の刃縁（８１）に輪郭をつけられる各々の中央凹部（７６）を有するパンチ（７５）を有するアプリケータ。
【発明の詳細な説明】
【技術分野】
【０００１】
本発明は毛髪を密集させるための方法、または密集化させる方法に関し、その方法の使用のために適切なヘアエクステンションで密集化アセンブリの適用のために、毛髪を受容することに関連がある分離装置に関する。発明はさらに、毛髪を密集させるためのヘアエクステンションのアセンブリ、および、前記方法による用途に適切なこのアセンブリのためのアプリケータに関する。
【０００２】
毛髪を密集化させるということは、以下、受容毛髪へのヘアエクステンションの適用によって人間の毛髪を長くするおよび／または容積を増加させることを意味する。ヘアエクステンションは、単一の延長ユニットとして取り扱われ、連結要素によって毛髪を受容するのに適用されやすい複数の人間または人工毛髪からなるヘアエクステンションを意味する。
【背景技術】
【０００３】
毛髪容積を密集させ、さらに毛髪を長くするための様々なシステムはすでに知られている。これらのシステムは、提案された適用方法に基づき、このような処理を要請したユーザの部分的な受け入れおよび満足感を決定する方法を使用して毛髪に固定される天然または人工的なヘアエクステンションまたはロックを一般に使用する。
【０００４】
この種類の処理の満足感を増加させるのに役立つ別の側面は、実施の速度である。
【０００５】
周知のシステムは、ヘアエクステンションがユーザの毛髪に連結されるステップを含む。このステップの間、ヘアエクステンションは、基本的にユーザの毛髪に縫い込まれ、結合または結ぶことができるが、これらのシステムによると、単一のヘアエクステンションの各々が手によるおよび正確な作業を必要とすることを考えると、毛髪を密集化または長くさせるのは、実行されるのに長すぎる一定の時間を必要とする。
【０００６】
他の方法は、例えば留め金、くし、グリップ、などの外部要素の使用を必要して、ヘアエクステンションと毛髪との間の連結を作成することで知られている。これらの要素は、ユーザの受容毛髪に対し大きい寸法のヘアエクステンションを取り付けるために用いることができるが、連結部が明確に見えてしまい、それらから不安をユーザに感じさせてしまうという大きな不都合を有する。
【０００７】
他の周知の手段には、サイズが減らされたエクステンションが受容毛髪に連結されることができるものがある。接着剤、小型留め金要素などの使用を必要とするこれらの方法は、かなり良好な結果を提供するが、他の方法では連結がユーザおよび観察者に見えるような大きいサイズであってはならなく、オペレータは各々の個別のヘアエクステンションを連結しなければならないので、すべてのケースにおいて長い適用期間を必要とする。
【０００８】
類似した問題点は、例えば、米国特許Ｎｏ．４，９３４，３８７（Ｍｅｇｎａ）に記載された方法のように、接着剤が各々のヘアエクステンションの固定の終了後、液体および熱い状態において施されるので、特に時間に関して煩わしい方法での実施の連結に塗布される接着剤が使われる方法で存在する。また、理解できる不快をもって、オペレータは指で熱い糊を処理しなければならない。
【０００９】
また、米国特許Ｎｏ．５，１０７，８６７（Ｂａｒｒｉｎｇｔｏｎ）は、銃型のディスペンサまたは他のアプリケータから所定量の接着剤が塗布される部位に提供されるような種類の方法を記載する。しかしながら、Ｂａｒｒｉｎｇｔｏｎ特許において、他の毛髪にくっつかないセッティングを可能にするように接着剤は、熱で収縮可能な管の範囲内で限定される。
【００１０】
米国特許Ｎｏ．４，９８２，７４８（Ｔｒｉｍａｒｃｈｉ）は、熱硬化性の接着剤の使用を提案し、それは、したがって冷やして塗布された後の加熱を必要とする。
【００１１】
しかしながら、接着剤での塗布のこれらの例は、また時間を増加させる補足の毛髪、接着剤、管、吹付け器などのいくつかの要素の複雑な操作を必要とする。
【００１２】
加えて、硬化した接着剤は、感触で明らかに目立つ一種のボールまたはふちを形成し、方法の簡単さの度合いを減少させ、毛髪を密集させる目的である所望の審美的な改良を妨害することもまた観察される。
【００１３】
エクステンションからエクステンションへの密集化および／または延長のための保持部を得るこの方法の他の例は、日本特許ＪＰ ０３１５２２０５（アデランス株式会社）に記載され、この技術の改良を参照した、南アフリカ特許ＺＡ ９３／５２１４またはドイツの特許ＤＥ １９６  ２６  １０７Ｃにおいて開示される例えば本発明の発明者によって開発される改良は、他の続く特許に記載される。
【００１４】
これらの文献は、ヘアエクステンションが熱可塑性接着剤の塗布で毛髪に固定されるような、密集化要素および適用の関連のある方法を記載する。この文脈において、塗布が手で行われ、およびそれゆえにエクステンション毎に均一でない可能性があることは、明らかである。
【００１５】
これらの周知の方法における強制的な手による実施は、それゆえに一連の欠点を意味する。第１に、オペレータは、状態が必ずしも明らかに可能ではない適切に行われた連結を実行することができるように、この技術の経験および実行を有しなければならない。加えて、経験なしで均一の連結を生成するのはきわめて困難である：毛髪の密集のために提案されるラインに正確に沿って、配置されないので、それらは非常に変動し、品質およびサイズにおいて変動する。
【００１６】
すべてのこの種のことは、完成した作品の品質が最適でなく、摩耗により露出され、調整できない欠点を有し、きわめて長い塗布時間、および、経験豊かなオペレータを見つける困難さによりコストを増加させることを意味する。
【００１７】
加えて、繰り返すが、硬化した接着剤は、感触で明らかに目立つ一種のボールまたはふちを形成し、方法の簡単さの度合いを減少させ、毛髪を密集させる目的である所望の審美的な改良を妨害することが観察される。
【００１８】
さらなる改良は、本発明の出願人の名において、本発明と同じ発明者を明示した国際出願ＷＯ ０２/０９８２５０に記載された。
【００１９】
この文献において、ヘアエクステンションの方法およびアセンブリは、連結要素を正しい位置に配置する粘着テープを利用し、それから同時にそれらを活性化する１つのステップでの一組のエクステンションの適用によって、毛髪容積を増加させるために開示される。
【００２０】
ヘアエクステンションの適用を非常にスピードアップさせるにもかかわらず、このシステムは、不十分な寸法により生じ、また示すことができる不完全な連結の問題を解決しない。
【００２１】
類似した観察は、本発明の出願人の名において、本発明と同じ発明者を明示した国際出願ＷＯ ２００４/０２３９１０に基づいて作成される可能性がある。
【００２２】
この欠点は、各々の接着剤ベースの連結要素の受容毛髪の正確な量を決定する問題にまた関連する。連結要素の動作は前記量によって異なり、したがって、隣接した連結要素から、異なる効果的連結が同じ適用で生じることは可能であると理解される。
【発明の開示】
【００２３】
本発明の根底にある技術的な問題は、技術水準との関連で言及された欠点を取り除くことが可能で、ヘアエクステンションの同時的な適用を一般に改良する毛髪の密集化方法、分離装置、ヘアエクステンションおよび前記方法での使用に適切なアプリケータを有する密集アセンブリを提供することである。
【００２４】
解決策は、手による操作の必要なしで毛髪を密集させる方法およびアセンブリを提供し、ヘアエクステンションのセットでの適用を可能し、ヘアエクステンションを支えている連結要素とユーザの受容毛髪との間の完璧な集積化を実行することから構成されている。
【００２５】
特に、適用自体を容易にかつ即時にする装置の使用を含むような適用方法を提供することが要求される。
【００２６】
このような問題は上で特定されるような方法によって解決され、以下のステップからなる。
＊第１の複数のそれぞれの連結要素を備えたそれぞれの近接端部を有するヘアエクステンションの提供；
＊第１の粘着面を有する第１の粘着テープの提供、および所定の配置による第１の粘着面上への前記近接端部の配置；
＊前記部分は、基本的に受容毛髪の同じ量を含んで、隣接した部分において分離される可能性があり、各々の部分は、前記粘着テープに配置される連結要素に対応し、他の部分から等距離であるような分離装置の毛髪が密集化される部分への配置；
＊密集化される毛髪の張力をかけられた前記部分の保持；
＊前記第１のテープに重ねられる第２の粘着テープの提供、および、前記第１および第２の粘着テープの間での、受容毛髪の各部における前記連結要素を配置し、密集化される毛髪の前記部分の包囲；
＊毛髪の前記部分からの前記分離装置の除去；および、
＊ヘアエクステンションの前記連結要素に作動している連結手段の活性化。
【００２７】
同じ発明の概念によれば、技術的な問題は、密集化アセンブリの適用のため毛髪を受容する分離装置によって解決され、以下からなる：
＊それぞれの連結要素を備えたそれぞれの近接端部を有する複数のヘアエクステンション；
＊所定の配置に従って前記近接端部が配置される粘着面を有する粘着テープ；
分離装置は、以下の構成を含むことにおいて特徴付けられる：
＊等距離であり、基本的に受容毛髪と同じ量を含む部分に毛髪の一部を再分割するような第１の分離歯要素；
＊前記第１の歯の要素によって片面が区切られ、所定位置に前記粘着テープを配置するための支持面；
および、＊前記第１の歯の要素に関して反対側に配置され、その間で挿入される受容毛髪を止めるように後者に関してより大きな密度および隙間を有する第２の歯の要素。
【００２８】
本発明の方法および分離装置の主な利点が、受容毛髪の正しい数で実行されるように、きわめて小さい寸法の対応する多数の連結を同時に実行して、１つのステップで多数のヘアエクステンションの速い適用を可能にすることにある。
【００２９】
第１および第２の粘着テープのための発明の方法の定義において、それは、粘着テープの同じ部分に属する粘着テープの２つの異なった部分を意味する。その部分は２つの異なったテープ部分から構成されているのと同じくテープの折畳み構造によって識別される。
【００３０】
本発明の好ましい実施例によれば、発明の方法で使われるアセンブリは、第１の粘着テープの粘着面に配置されるそれぞれの連結要素を有する第１の複数のヘアエクステンション、および、第２の粘着テープの粘着面上にそれぞれ連結要素を有する第２の複数のヘアエクステンションからなる。
【００３１】
第１の粘着テープ上の連結要素の位置および第２の粘着テープ上の連結要素の位置は補完的であるので、受容毛髪は、前記第１および第２のテープの重ねられた連結要素の間に入り込んだままになる。毛髪を密集させるアセンブリにおいて、テープの位置決め手段が提供され、その結果、それぞれの連結要素は、受容毛髪の単一の部分にくっつくように重複する。
【００３２】
発明のさらに好適な変形によれば、前記第１および第２の粘着テープは、粘着テープの２つの異なった部分である。
【００３３】
前記連結要素が固定される毛髪部分の受容毛髪の濃度を考慮して、集中した動作のための効果的な位置決めでまさに前記受容毛髪の部分およびそれぞれの連結要素または要素のちょうど上での連結手段の動作に集中する必要が生じる。
【００３４】
それゆえに、発明は、天然の毛髪への適用を経て毛髪を密集させるために使われる種類のヘアエクステンション・アプリケータにもまた関連し、ヘアエクステンションは以下の構成、＊テープ上にヘアエクステンションの連結要素、および、分離し、それぞれの連結要素に対応する密集される毛髪の受容毛髪の対応している部分を支える固定された対照的な要素、および、＊前記固定された要素に作用する移動可能な押圧要素であって、この移動可能な押圧要素は、粘着テープにヘアエクステンションの連結要素およびテープに囲まれた密集される毛髪の受容毛髪の対応している部分を押すような所定の圧力で作動し、気圧装置によって駆動される移動可能な押圧要素からなり：それは、前記固定された押圧要素上の所定の位置でテープ、連結要素および、毛髪部分を配置する手段からなることにおいて特徴付けられる。
【００３５】
上記のアプリケータの好適な実施例において、それらが押圧要素によって押圧される場合、それぞれの連結要素を収容するような位置で前記固定された押圧要素のそれぞれの凹部を備える。
【発明を実施するための最良の形態】
【００３６】
図２および３に関して、一般にヘアエクステンションからなる１で概して示される密集化アセンブリを開示する。
【００３７】
それは、排他的ではないが好ましくは、略透明であり、密集化させる方法において密集される毛髪に適用される意図を有する第１の粘着テープ２からなる。
【００３８】
それゆえに、その透明度はより明確に適用ステップに続き、適用されるテープ２で達成される効果を可能にする。第１の粘着テープ２を形成する材料は、排他的にではないが最適に詳細な下記の理由のために熱に抵抗力がある。使用される接着剤は、永続せず、圧力で操作され、反転可能なタイプであり、それはテープ２の単一の粘着面４３に配置される。
【００３９】
アセンブリ１は、第１の粘着テープ２に関して開示されるそれらに好ましくはすべて類似した特色を有し、それぞれ第２の粘着面４４を有する第２の粘着テープ４をさらに備える。
【００４０】
図２に関して常に、適切に選択された色、均一または縞状である色の天然または人工である略所定の量の毛髪からなる第１の複数ＡのヘアエクステンションＣが開示される。
【００４１】
発明のアセンブリ１は、異なる厚み、長さおよび色のヘアエクステンションＣから構成することができる。一般に、それらは毛髪に連結され、固定されていない末端８に連結される意図を有するそれぞれの近接端部７から延長する。各々のヘアエクステンションＣにおいて、それぞれの毛髪は、好ましくは均一の長さを有する。
【００４２】
前記近接端部７で、各々のヘアエクステンションＣは、本実施例により、ポリアミド、ポリエステルまたはポリウレタン、例えばナイロンのような熱可塑性材料から生じられる連結要素９で構成される。
【００４３】
各々の近接端部７および各々の連結要素９は、第１の粘着テープ２の前記第１の粘着面４３に配置される。連結要素９は、略等距離であり、テープ２の中央に配置される。ヘアエクステンションＣは互いに平行して整列配置されるので、隣接したヘアエクステンションＣの毛髪は互いにもつれない。
【００４４】
また、第２のテープ４上に、第１のテープ２および第１の複数Ａに記載されるものと略同一のモードを有してそれぞれ第２の複数BのヘアエクステンションＣが適用される。
【００４５】
アセンブリ１はまた、粘着テープが折れたり、カールしたり、くっつくのを妨げるように粘着面４３、４４および連結要素９を保護するために配置された例えば、シリコンでコーティングされた、リンネル風に仕上げた紙またはプラスチックのような、粘着テープ２から容易に着脱可能な材料でできている支持テープ（図示せず）を備える。
【００４６】
前記粘着面４３、４４に使用される接着材料は、連結要素９の材料で生じるものより大きいテープ２上の接着力を有するので、後者に接着材料の残留物は、適用の終了後残らない。
【００４７】
最後に、テープ２またはテープ４は、ヘアエクステンションＣに関連する情報の指示を含むことができる。このような情報は、ヘアエクステンションの密度、それらの寸法、それらの数、間隔、連結要素の寸法に関連がある。
【００４８】
この指示は、書面、色、コード、適切な表に基づいて任意に解釈される図面によっていかなる形状にもおいて表される。
【００４９】
テープ２、４は、本実施例では、テープ２、４の角にある孔６である位置決め要素を有する。それは、第１のおよび第２テープ２，４上の穴６の位置は相補的、即ち前記テープ２，４を重ねることにより、穴６の完全な重なりが達成されることが提案される。
【００５０】
前記孔の位置決めは、孔６が交替で重ねられる場合、前記第１および第２の複数Ａ、Ｂのエクステンションの連結要素９が重なるように行われる。
【００５１】
連結要素９をそれぞれの端部に連結するため、熱い接着剤、注入などの様々なシステムを使用することができる。
【００５２】
連結要素の好ましい形態は、下記のように、接着剤として機能する熱可塑性材料の量を最小限に制限するため、幅および厚み（図面において拡大されて示される）が略それぞれのヘアエクステンションＣのそれらに等しい長方形である。
【００５３】
それゆえに、前記連結要素９は、異なるサイズ、持ち上がった長さおよび厚みの厚いヘアエクステンションのための大、中間の長さおよび厚みのヘアエクステンションのための中、および、ヘアエクステンションでおおわれた適用に適切なそれらの最小の厚みによって特徴付けられるヘアエクステンションのための小の間で通常識別可能なサイズを有することが提案される。この情報は、前述の格納要素５０に関連する指標に言及する。
【００５４】
また本実施例に関して、熱可塑性材料は、プラスチック流体の特性を仮定して、室温より高い温度で溶解し、そして室温で冷却され、および固体化するために適切な物質である。
【００５５】
類似した特性を有する物質は、高周波振動、特に超音波振動の形で機械的エネルギの直接の適用を使用して溶解することができる。この場合、分子間の振動および結果として生じる摩擦は、互いに関して可塑的に分子を移動するのに必要な熱量を生成する。振動が中断する場合、熱の発生は停止し、ほぼ即時の凝結を生じる。
【００５６】
熱可塑性材料として使うことができる物質の例は、ポリエステル、ポリアミド、ポリウレタンなどである。
【００５７】
本発明の連結要素の機能は、各々のヘアエクステンションＣの毛髪を一緒に保つこと、および、および密集される毛髪のヘアエクステンションの付着点を提供することである。
【００５８】
ヘアエクステンション６の毛髪のそれと互換性を持つ色を有する連結要素９はまた、人工宝石などの追加的な装飾的要素で装飾することができる。
【００５９】
それぞれの粘着面４３、４４に配置されるそれの反対側の連結要素９表面は、その端がヘアエクステンションＣの毛髪に並列である長手方向のリブ３を有する。各々のリブは、略Ｖ型の部分を有する。
【００６０】
リブ３の形成は、図１６から１９に関して開示される。それは、ヘアエクステンションＣの連結要素９を置く装置を図示し、一例として、同じ粘着テープの異なる色によって表され、本発明の方法の実施において享受される自由を示す解決法を示す。
【００６１】
Ｄで示される配置装置は、粘着テープ２の粘着面４３に置かれ、１つの連結要素９をそれぞれ含む配置ダクトＤ１を有する。各々の配置ダクトＤ１では、粘着面上にそれらを配置するために前記連結要素を押圧し、糊（図１８）にそれらを付着させる意図を有する下端部Ｄ３を有するプランジャＤ２を摺動させてもよい。
【００６２】
各々の下端部Ｄ３は、各々の連結要素３において上述のリブ３を押すため、線状の端を有するリブＤ４を有する。
【００６３】
連結要素９上でのリブ３の改良された成形のため、プランジャＤ２のリブは、徐々に加熱される。
【００６４】
受容毛髪の同じ量から基本的に構成された受容毛髪の隣接した部分６０において前記ヘアエクステンションを受容しやすい毛髪の部分Ｔを再分割することができる分離装置５１（図１および４）でアセンブリ１は適用され、前記部分６０は、以下に記載されるように適用される連結要素９の位置に関して、すでに間隔を置かれている。
【００６５】
このため、装置５１は基本的に三角形の複数の第１歯要素５２からなる。受容毛髪の均一の厚みで前記部分Ｔを配置するように注意して、その上に毛髪の前記部分を単に配置するだけで、寸法および間隔のために、それらは前記隣接した部分６０を自動的に選ぶことができる。
【００６６】
都合よく、本実施例は、保持器装置５１が連結要素９を受容する第１のテープ２を配置するために適切な支持面５３からなることを示す。歯の要素５２従って、受容毛髪の部分６０に関してテープ２を適切に配置するために、詳細に表されていない目盛または縁がある。
【００６７】
とにかく、その位置決めを容易にするため、支持面５３はテープ２の幅と等しい幅を有する。横方向に表面５３は、テープ２のより正しい位置決めのため、上記した孔６に挿入されやすいギザギザの形の止め具５４を備える。
【００６８】
第１歯要素５２が略支持面５３を区切り、受容毛髪６０の部分によって交差される表面５３の対向側に配置される方法に注意するべきである。
【００６９】
止め具５４の位置は、アセンブリ１のために正確な測定値が提供されると、連結要素９は第１歯要素５２の各々の間の切欠きに置かれるので、その結果、それぞれの連結要素９上に分離された受容毛髪Ｔは正確に落下する。
【００７０】
装置５１は、前記第１の歯の要素に関して反対側に配置される、その間で挿入された受容毛髪Ｔを止めるように後者に関してより高い密度および隙間を有する第２の歯の要素５５をさらに備える。
【００７１】
実際には、第２の歯要素５５は、分離された受容毛髪Ｔのための締金として作用するために配置された櫛状のものである。
【００７２】
テープ２がその位置でセットされると、連結要素は、受容毛髪を分離する第１歯要素５２によって間隔を置かれることに注意するべきである。したがって、連結要素を意図する毛髪が対角線的にまたはカールして下手に配置され、または間違った連結要素上に落下するのを避けられる。
【００７３】
この利点は、いかなるカールもまっすぐにして、受容毛髪に張力をかけるのに役立つ第２の歯要素５５と結合して達成される。
【００７４】
支持面５３は、支持体５６の上に形成される。それゆえに、装置５１は前記支持体５６に連結される少なくとも１つのハンドルを備える。本実施例において、装置５１は、受容毛髪が配置されるその反対側に横向きに配置される対向する一対のハンドル５７からなる。
【００７５】
したがって、操作者は、右利きか左利きかに関係なく、装置上に毛髪を配置するために右手で装置をサポートし、それから左手でそれをつかみ、テープ２を切るために右手を使う、またはその逆も同じである。
【００７６】
最後に、第２の歯要素５５に対応する位置において、装置５１は、受容毛髪およびヘアエクステンション６を予め設定された位置に固定する手段を備える。本実施例では、このような手段は、毛髪に横向きに回転し、ボタン５９によって駆動されることができるバネ締金５８からなる。
【００７７】
テープ２を位置に保つために機能するさらなる手段は、それらはこの効果を導きやすい材料から作成されると仮定して、テープと支持面５３との間で生成される静電吸引である。
【００７８】
以下に記載する方式で配置されるならば、連結要素９を有する第１のテープ２および受容毛髪６０の部分は分離装置５１上で正しく分離され、第２の複数ＢのヘアエクステンションＣを有する前記第２のテープ４もまた配置することができる。第２のテープ４の位置決めのために止め具５４を使うことができるので、第１および第２のテープ２、４の孔６は重複し、このことにより、中央（図４）に配置される受容毛髪６０の対応する部分にそれぞれの連結要素を重ねる。
【００７９】
テープ３、４および受容毛髪６０を保つため、装置は、それらの表面を固定されないようにするために、テープ２および４の上においてバネで作動する握持で作動する把持部６０を備える。
【００８０】
把持部６０を作動中にさせたままで、アセンブリ１の組み立てが終わると、このような把持部は移動可能であり、分離装置５１は除去することができる。
【００８１】
上記した密集化アセンブリ１に関して、毛髪を密集させる方法には、図６から１２に関して記載される次の適用ステップから構成される。
【００８２】
方法は、互いに平行してすべての毛髪を整列配置するために、密集化される毛髪Ｔの部分Ｐが梳毛によって準備されるステップを提案する。
【００８３】
分離装置５１は、アセンブリ１の第１の粘着テープ２と櫛で梳かれ、互いに整列配置されるヘアエクステンションＣによって、交替で準備される。
【００８４】
次のステップにおいて、前記分離装置５１は密集化される毛髪Ｔの部分で配置されるので、基本的に受容毛髪と同じ量を含んで、各々の部分６０は前記第１の粘着テープ２に配置される連結要素９に対応し、他の部分から等距離であって、前記部分は、隣接した部分６０（図３）において分離される。
【００８５】
このステップにおいて、それはテープ２を適切に載置するため、受容毛髪Ｔの部分上へそれを固着する前に、分離装置５１は利用される。毛髪Ｔの部分は、櫛で梳かれ、張力をかけられ、ヘアエクステンションＣを受容するテープ２の部分のそれに等しい幅の平面に配置され、および、受容される連結要素９のそれに一致する位置において、同等の、等距離の、張力をかけられた部分の受容毛髪の完璧な分離を決定する第１および第２の歯要素５２、５５上に置かれる。
【００８６】
その後、前記方法は、密集化される毛髪Ｔの部分は、前記第１のテープ２および第２のテープ４の間で囲まれる追加的なステップからなる。
【００８７】
第２のテープ４は、その粘着面４４をヘッドおよび外部非粘着面に面して、その支持面５３で分離装置５１に載置される。
【００８８】
したがって、分離装置に関して記載されるように、アセンブリ１は重ねられた構成によって閉じられる。このステップは任意にどちらか１つの手で装置を支持して実行されるか、または、装置をバネ締金５８によって吊着されるままにされることができる。毛髪Ｔ上へアセンブリ１が配置されるならば、分離装置５１を、除去することができる。
【００８９】
このステップでは、アセンブリ１を毛髪上に保つことをさらに保証するために、把持部６０は作動したままで残すことができる。
【００９０】
その後、接続手段を作動させる、すなわち、加熱および／または連結要素９への超音波周波数振動により機械的エネルギを伝達するためアプリケータ１０が利用される。
【００９１】
これは、アプリケータ１０およびそれぞれの可動因子１５の固定された要素１２の間で折り畳まれるテープ２を圧縮することによって実行される。この段階において、連結要素９で略構成されている連結手段は、操作者によって作動される。固定された要素１２および押圧要素１５は、把持部６０の閉じた要素によって固定されていないままで残される空間で作用することができる。
【００９２】
本実施例において、熱可塑性材料の溶融特性が使われる。実際には、エネルギが粘着テープ１を経た連結要素９に適用されることが提案される。それゆえに、固定された要素１２および移動可能な要素１５が延長された形状を有し、略均一の圧力を適用して、その長さに沿ってアセンブリ１の全体を圧縮することができる把持部アプリケータ１０が使われ、このことにより連結要素９を圧縮する。後者は、単に圧力が作用されることができるのみである。リブ３は、毛髪部分Ｔの受容毛髪６０を導き、静止させて保つのに役立つ。
【００９３】
この文脈において、連結要素９にエネルギを伝達するための代替のシステムが、同様に使うことができる。
【００９４】
このシステムは、例えば２０から６０ｋＨｚの範囲の超音波周波数振動の形での機械的エネルギの使用を提案する。この場合、押圧要素の一方または両方は、例えば所望の周波数で交流を受けさせられる圧電素子のような振動体に連結され、直接およびテープ１を通じて、それらは連結要素９にこれらの振動を伝達する。
【００９５】
この場合、振動の適用は、それらを一緒に貫通および結合して、連結要素９熱可塑性物質材料の分子がヘアエクステンション６および毛髪Ｔの個別的な毛髪間を容易に流動することを可能にすることに注意するべきである。
【００９６】
アプリケータ１０は作動し、把持部のように機能している要素１２、１５の間で形成される厚みに依存しない一定の圧力は、均等に剰余分４に沿った所定長さの時間間隔で、または、毛髪上の連結において変換される各々の連結要素９上で等しく出される。
【００９７】
同じ方式によれば、本出願は常に同一の結果で無限の回数で、かつ、操作者がいかなる筋力をも出す必要がなく反復することができることが提案される。
【００９８】
都合よく、それは、複数の粘着テープ２を適用し、それから急速な配列で前記接続手段を作動させるのが可能である。
【００９９】
作業パラメータが以下のようであることが提案される：出された圧力、圧力継続時間、加熱（温度）、加熱継続時間、振動周波数、振動強度、振動の継続時間は、予め設定することができ、制御装置に格納することができ、ヘアエクステンションおよび適用される連結要素の明細書によると変化させることができる。
【０１００】
この連結ステップが完了したら、適用を完了させるため、冷却の終わりにおいて毛髪上にいかなる糊も残さずに粘着テープ２、４を除去するのにそれは十分である。
【０１０１】
本実施例において、アプリケータ１０は、圧縮‐加熱サイクルで作動する。
【０１０２】
テープ２、４を横切る組み合わせられた熱および圧力は、毛髪ＴおよびヘアエクステンションＣの毛髪（図１２）の間で貫通する熱可塑性材料を溶解させる。固定された要素１２および移動可能な要素１５の両方が内部で加熱されることに注意する。
【０１０３】
したがって、熱可塑性材料は毛髪Ｔを通じて移動する傾向があり、とにかく、その位置は、テープ２、４によって両側に限定される。移動は両側で生じ、最適に受容毛髪６０に入り込む。このプロセスは、熱可塑性材料がテープのうちの１つの表面において圧縮されるのを妨げ、目に見えてしまう平面および固体化された熱可塑性材料の光る表面の形成を妨げる。
【０１０４】
圧力および加熱がやめられるならば、熱可塑性材料の固体化はテープ２の間で限定されるにとどまる。適当な冷却の後、テープ２を除去することができるが、複数のアセンブリ１の適用が生じるならば、すべてのテープを除去することもまた可能である。
【０１０５】
しかしながら、その連結要素および熱可塑性物質の部分の寸法は、それぞれの毛髪に連結されるヘアエクステンションＣの容量に略影響せずに任意に減らされることが提案される。
【０１０６】
説明から、ヘアエクステンションのこの方法は、２つのテープが存在する押圧要素が連結の発生を可能にする材料を含むと考えて、操作者によるいかなる操作も必要とせず、きわめて小さい寸法を有するヘアエクステンションと毛髪連結の形成を可能にすることが提案される。結果として生じる連結は、完成した端を有し、光る表面がなく、略目に見えないようにきわめて繊細である、唯一の手による介入は、連結を作動させるために用いる装置の操作に基づく。
【０１０７】
連結の寸法は、その容積が特定の限界以下に減らすことができない接続ポイントを作成して、熱可塑性材料およびヘアエクステンションの毛髪は強制的に毛髪を囲まなければならないという事実に依存しない。例えば、上記に引用された日本特許において、ヘアエクステンションの毛髪は、毛髪に巻きつかれなければならないという単純な事実が、本質的に多量の連結を作成する。
【０１０８】
本発明によれば、接続ポイントの寸法は、ヘアエクステンションの範囲内で圧縮される毛髪の量のみに依存する：ヘアエクステンションがより繊細になると、より繊細な連結になる。
【０１０９】
このため、分離装置５１の使用は、連結要素間の受容毛髪の均等な分配を可能にする。受容毛髪が少ないおよび／またはカールした場合、特にこれは都合が良い：このような状態はより明らかな差を生じることができ、その場合、熱可塑性材料は、横向きに圧迫されるリスクを有して、隣接した連結要素に取り付けられ、連結要素は圧縮され、少ない毛髪に溶けることができる。
【０１１０】
その代わりに、したがって、このリスクは略取り除かれる。
【０１１１】
操作の不足は、それゆえに均一の連結の形成を導く。それらの最適な品質は、例えば水などの貫通による切断を妨げる。
【０１１２】
このシステムにより、毛髪内にヘアエクステンションを隠すことも可能である。それから、互いに等距離のヘアエクステンションを適用するのが可能であるので、追加的なエクステンションは、短い時間内で調和したエクステンションを得る可能性を有して、それらの間で適用されることができ、ユーザの毛髪と異なる色でエクステンションに溶け込ませることによって複雑なしま（ハイライト）作成する。
【０１１３】
方法は、熱の損失および機器または接続装置を汚染することなく、使用される熱可塑性材料、活性化のために使用されるエネルギの量を減らす。
【０１１４】
加えて、理解されるように、数多くの適用変形物を使用する可能性のために、上述の密集化する方法およびヘアエクステンションの関連するアセンブリは、専門の操作者が最大の想像力を発揮するのを可能にする。
【０１１５】
特に２つのテープの使用に関連して、以下の有利な操作の結果に到達する：
ａ）一旦分離されると、ユーザの毛髪は、テープ２および４によって、固定位置において保たれ、したがって、毛髪とエクステンションとが互いに交差するのを避けてアプリケータ１０を操作することはより容易である。
ｂ）ユーザの毛髪は、前記折り畳まれた形状において囲まれることによって熱から保護される。
ｃ）熱可塑性材料は、２つのテープまたはフィルムの間で囲まれ、したがって、他の毛髪を巻き込まずに、受容毛髪を旨く取り込む制限を逃れることができない。
ｄ）溶解され、かつ、固体化された連結要素の表面は、略感触的に知覚できない。この連結の品質は、熱可塑性材料によって略封止される連結の毛髪間での水の貫通を妨げる。
ｅ）熱可塑性材料の放出を妨げるテープは、把持部の汚染を妨げる。
ｆ）テープは熱可塑性材料の冷却が終わるまで、固着されて保たれ、その間さらなる連結を妨げず、時間を節減する。
ｇ）テープは、固定された梳毛を保ち、したがってそれはより正確である。
【０１１６】
前述の方法は、番号は１から順に変化する、夫々のテープに付着したヘアエクステンションの数に限定しない。
【０１１７】
図２２への一般の参照では、ヘアエクステンションのための例示的なアプリケータは、１０によって概して示される。それは、ハンドルとして機能している本体１１および以下に記載されるハウジング内部装置を有する。本体１１に固定された対照的な要素１２が固定され、上記の通りに支持テープ２上のヘアエクステンションの連結要素９を支えるような支持面１３および密集化される毛髪Ｔの対応する毛髪からなる。
【０１１８】
アプリケータ１０は、前記固定された要素１２に作用している移動可能な圧力要素１５をさらに備える。それは、本体１１から延長するロッド１７の端の上に形成される押圧平面１６を有し、ロッド１７の軸は本体１１の進行の軸に一致する。また、押圧平面１６は本体１１の進行に対して略垂直である。
【０１１９】
移動可能な圧力要素１５は、本体１１において収容され、所定の圧力で機能している空気圧装置１８（図示せず）によって駆動される。
【０１２０】
その押圧平面１６で移動可能な圧力要素１５は、連結要素９の粘着を活性化するために加熱される。このため、移動可能な圧力要素１５に、収容された動力が供給されたサーミスタ２４が存在する。同様に、また、固定された要素１２はサーミスタ２５から構成される。
【０１２１】
圧縮‐加熱サイクルは、本体１１のボタン２６の作動に応答して開始される。
【０１２２】
図１３および１４に関して、その一般的な特徴のみが上記に記載されたアプリケータ１０の第１実施例が開示される。この第１実施例によれば、固定された要素１２は、前記固定された要素および圧力要素上の所定の位置でテープ、連結要素、および、毛髪の部分を配置する手段を備える。このような手段は、分離装置５１に参照されるように上記した把持部６１を備える。このため、固定された要素１２は、前もってその分離装置５１に載置された把持部６１の端６３を受容する凹部６２を有する。
【０１２３】
図２０および２１に関して、アプリケータ１０の第２の実施例が開示される。そこにおいて、前記固定された要素および圧力要素上の所定の位置でテープ、連結要素、および、毛髪の部分を配置する手段は、分離装置５１に関して上記されたものと類似したギザギザ形の止め具６４を備える。
【０１２４】
本実施例において、固定された要素１２および移動可能な要素１５の支持面１３および１６は、取り外し可能なプレート上に形成され、それは、それぞれ、７１、７２で示される。両方のプレートは、前述の止め具６４を活用することによって配置されることができる。固定された要素１２に載置する第１の取り外し可能なプレート７１は、図面で、基本的に楕円形でまたは楕円である複数の凹部７３を有する。それらは、上記した第１の粘着テープ２に配置される連結要素９を受容するために予め設定される。正しい位置決めは、前記止め具６４によって得られる。
【０１２５】
移動可能な要素１５に載置する第２の取り外し可能なプレート７２は、各々が前記凹部７３に対応する複数のパンチ７５を有する。パンチ７５は、それぞれの凹部７３に適合するような構成を有する；その上部に対し、パンチは、楕円形または楕円形状の凹部７６を有し、本質的に刃縁７７を有する。したがって、連結要素の熱可塑性材料の横の移動は止められる：熱可塑性材料は凹部７３および凹部７６の間で構成されるすべての空間を係合し、すべての毛髪をその中で遮断する。Fによって示される結果として生じる連結の形状は、図１５において表される。
【０１２６】
取り外し可能なプレート７１、７２の各々の下で、シルクスクリーン技術で印刷された熱を生成するために電気的に連結されるサーミスタ２４、２５が存在する。このため、プレート７１、７２は、薄い金属材料で、かつ高い熱伝導率を有する。これによって、シルクスクリーンで印刷されたサーミスタおよび取り外し可能なプレートの低い熱許容量を考慮すると、熱生成は、現行の流動が終わると、熱可塑性材料において溶融温度に直ちに達し、冷却は直ちに発生する。
【０１２７】
図２３から２５に関して、先行する実施例の利点を達成したアプリケータ１０の第３の実施例が開示される。本実施例において、前記固定された要素および圧力要素上の所定の位置でテープ、連結要素、および、毛髪の部分を配置する手段は、分離装置５１に関して上記に記載されたものに類似しているしかしここ図２２に示すギザギザ形の止め具６４を備える。
【０１２８】
サーミスタ２４、２５は、固定されかつ移動可能な要素１２、１５上においてよりも、電気的接点７８を備えたプレート７１、７２の裏に印刷される。プレート７１、７２は、それぞれの絶縁された平面７９、８０上に載置される。
【０１２９】
固定された要素１２上の支持面１３は、軟らかい、柔軟性をもつ材料である。このため、第１のプレート７１は、ゴムの薄い層によって実行されることができる。その代わりに、第２のプレート７２は、凹部７６内部で熱可塑性材料を分離するため、各々の中央の凹部７６が第１の支持面１３の柔軟性をもつ表面と協働する対の刃縁８１に輪郭をつけられるパンチ７５を有する。
【０１３０】
とにかくしたがって、連結Ｆの形状は完全に定義される。
【０１３１】
毛髪を密集化させる方法、分離装置、アセンブリおよびアプリケータに対して、当業者は更なるおよび不確定のニーズを満たすため、更なるいくつかの修正および変形を生じるだろうが、これらは全て添付の特許請求の範囲に記載の本発明の保護する範囲内に含まれる。
【図面の簡単な説明】
【０１３２】
本発明は、非制限例を提供して、添付の図面に関してそのいくつかの実施例によって以下に開示される。ここにおいて：
【図１】発明の受容毛髪の分離装置の斜視図を示す；
【図２】発明の方法で使われる密集化アセンブリの斜視図を示す；
【図３】図２のアセンブリの詳細な部分を図示する；
【図４】発明の方法における先行する図の装置、およびアセンブリの使用を図示する；
【図５】図４の線Ｂ−Ｂに沿った先行する図及びアセンブリの装置の詳細な部分を示す；
【図６】斜視図を用いた、発明によるアセンブリおよび分離装置で実行される、本発明による密集化方法の様々なステップの概略図を示す；
【図７】斜視図を用いた、発明によるアセンブリおよび分離装置で実行される、本発明による密集化方法の様々なステップの概略図を示す；
【図８】斜視図を用いた、発明によるアセンブリおよび分離装置で実行される、本発明による密集化方法の様々なステップの概略図を示す；
【図９】斜視図を用いた、発明によるアセンブリおよび分離装置で実行される、本発明による密集化方法の様々なステップの概略図を示す；
【図１０】斜視図を用いた、発明によるアセンブリおよび分離装置で実行される、本発明による密集化方法の様々なステップの概略図を示す；
【図１１】斜視図を用いた、発明によるアセンブリおよび分離装置で実行される、本発明による密集化方法の様々なステップの概略図を示す；
【図１２】斜視図を用いた、発明によるアセンブリおよび分離装置で実行される、本発明による密集化方法の様々なステップの概略図を示す；
【図１３】発明のアプリケータの第１実施例の一部を断面にした斜視図を示す；
【図１４】図１３のアプリケータのラインＣ−Ｃに沿った断面を示す；
【図１５】ヘアエクステンションおよび受容毛髪間の連結の斜視図を示す；
【図１６】連結要素を成形して、連結要素および粘着テープ上でのそれぞれのヘアエクステンションの堆積ステップを図示する；
【図１７】連結要素を成形して、連結要素および粘着テープ上でのそれぞれのヘアエクステンションの堆積ステップを図示する；
【図１８】連結要素を成形して、連結要素および粘着テープ上でのそれぞれのヘアエクステンションの堆積ステップを図示する；
【図１９】連結要素を成形して、連結要素および粘着テープ上でのそれぞれのヘアエクステンションの堆積ステップを図示する；
【図２０】発明のアプリケータの第２実施例の一部を断面にした斜視図を示す；
【図２１】図２０のアプリケータの断面を示す；
【図２２】発明のアプリケータの第３実施例の斜視図を示す；
【図２３】図２２のアプリケータの部分展開断面図を示す；
【図２４】組み立てる際の図２３の断面を示す；
【図２５】図２４の断面の詳細を示す。
【図１】
2007516361.tif 000003
【図２】
2007516361.tif 000004
【図３】
2007516361.tif 000005
【図４】
2007516361.tif 000006
【図５】
2007516361.tif 000007
【図６】
2007516361.tif 000008
【図７】
2007516361.tif 000009
【図８】
2007516361.tif 000010
【図９】
2007516361.tif 000011
【図１０】
2007516361.tif 000012
【図１１】
2007516361.tif 000013
【図１２】
2007516361.tif 000014
【図１３】
2007516361.tif 000015
【図１４】
2007516361.tif 000016
【図１５】
2007516361.tif 000017
【図１６】
2007516361.tif 000018
【図１７】
2007516361.tif 000019
【図１８】
2007516361.tif 000020
【図１９】
2007516361.tif 000021
【図２０】
2007516361.tif 000022
【図２１】
2007516361.tif 000023
【図２２】
2007516361.tif 000024
【図２３】
2007516361.tif 000025
【図２４】
2007516361.tif 000026
【図２５】
2007516361.tif 000027
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
毛髪を密集化させる方法であって、＊それぞれの連結要素（９）を備えたそれぞれの近接端部（７）を有する第１の複数（Ａ）のヘアエクステンション（Ｃ）の提供； ＊第１の粘着面（４３）を有する第１の粘着テープ（２）の提供、および、所定の配置による前記第１の粘着面（４３）上への前記近接端部（７）の配置； ＊毛髪が密集化される部分（Ｔ）への分離装置の配置、その結果、前記部分は、基本的に受容毛髪の同じ量を含んで、隣接した部分（６０）において分離され、各々の部分（６０）は、前記粘着テープ（２）に配置される連結要素に対応し、前記他の部分（６０）から等距離である； ＊密集化される毛髪の張力をかけられた前記部分の保持； ＊前記第１のテープ（２）に重ねられる第２の粘着テープ（４）の提供、および、前記第１および第２の粘着テープ（２、４）の間での、受容毛髪の前記各部（６０）における前記連結要素（９）を配置する密集化される毛髪（Ｔ）の前記部分の包囲； ＊毛髪のそれぞれの部分（Ｔ）からの前記分離装置（５１）の除去；および、 ＊ヘアエクステンション（Ｃ）の前記連結要素（１０）に作動している連結手段（１０）の活性化のステップからなり、
ここにおいて、前記第２のテープ（４）は前記第１の複数（Ａ）のそれぞれの連結要素（９）に重なるように間隔が置かれたそれぞれの連結要素（９）を備えたそれぞれの近接端部（７）を有する第２の複数（Ｂ）のヘアエクステンション（Ｃ）がその上に配置されたそれぞれの第２の粘着面（４４）を有し、前記連結手段は、両方の前記複数（Ａ、Ｂ）の前記連結要素（９）上で同時に作動するようにされている方法。
【請求項２】
請求項１に記載の方法であって、前記第１および第２の粘着テープ（２、４）は、２つの異なった粘着テープ部分によって形成される方法。
【請求項３】
請求項１に記載の方法であって、前記連結要素（９）が熱可塑性材料からなる方法。
【請求項４】
請求項３に記載の方法であって、前記連結手段はエネルギの適用によって活性化される方法。
【請求項５】
請求項４に記載の方法であって、熱が適用される方法。
【請求項６】
請求項１に記載の方法であって、前記ヘアエクステンション（Ｃ）の寸法、数および／または密度に関連がある指示（５０）により分離装置を選ぶステップからなる方法。
【請求項７】
密集化アセンブリ（１）の適用のため、受容毛髪のための分離装置であって、＊それぞれの連結要素（９）を備えたそれぞれの近接端部（７）を有する複数のヘアエクステンション（Ｃ）； ＊所定の配置に従って前記近接端部（７）が配置される粘着面（４３）を有する粘着テープ（２）； からなり、前記分離装置は、 ＊等距離であり、基本的に受容毛髪と同じ量を含む部分に毛髪の一部を再分割するような第１の分離歯要素（５２）； ＊前記第１の歯の要素（５２）によって片面が区切られた位置に前記粘着テープ（２）を配置するための支持面（５３）； および、＊前記第１の歯の要素（５２）に関して反対側に配置され、その間で挿入される前記受容毛髪を止めるように後者に関してより大きな密度および隙間を有する第２の歯の要素（５５）を含むことにおいて特徴付けられる分離装置。
【請求項８】
請求項８に記載の装置であって、前記第１の歯の要素（５２）は、基本的に三角形である装置。
【請求項９】
請求項７に記載の装置であって、前記第１の歯の要素（５２）は、前記支持面（５３）の対向側に配置される装置。
【請求項１０】
請求項７に記載の装置であって、前記支持面（５３）は前記テープ（２）のそれに等しい幅を有する装置。
【請求項１１】
請求項７に記載の装置であって、横向きの前記支持面（５３）は、前記密集化アセンブリ（１）の正しい位置決めのために少なくとも１つのギザギザ形の止め具（５４）からなる装置。
【請求項１２】
請求項７に記載の装置５１であって、少なくとも１つのハンドル（５７）からなる装置。
【請求項１３】
請求項１２に記載の装置（５１）であって、横向きに配置される一対の対向するハンドルからなる装置。
【請求項１４】
請求項７に記載の装置（５１）であって、前記第２の歯要素（５５）に対応する位置において、予め設定された位置に前記受容毛髪および前記ヘアエクステンションを固定する手段からなる装置。
【請求項１５】
請求項１３に記載の装置（５１）であって、前記固定する手段は、前記毛髪に横向きに回転するバネ締金（５８）からなる装置。
【請求項１６】
請求項８から１５の１つに記載の装置（５１）であって、前記アセンブリ（１）の前記表面を固定されないように前記装置（５１）に配置される場合、前記密集化アセンブリを受けやすい取り外し可能な把持部からなる装置。
【請求項１７】
毛髪（１）を密集化させるためのアセンブリ（１）であって、＊第１の複数（A）のヘアエクステンション（Ｃ）の連結要素（９）がそれぞれの末端（７）でその上で配置される粘着面（４３）を有する毛髪に反転可能に固着されやすい第１の粘着テープ（２）、および、＊第２の複数（Ｂ）のヘアエクステンション（Ｃ）の連結要素（９）がそれぞれの末端（７）でその上で配置される粘着面（４４）を有する毛髪に反転可能に固着されやすい第２の粘着テープ（４）からなり、前記テープ（２、４）は、位置決め要素が交替で重ねられる場合、前記第１および第２の複数（Ａ、Ｂ）の前記エクステンションの連結要素（９）を重ねるように位置決め要素を有するアセンブリ。
【請求項１８】
請求項１７に記載のアセンブリ（１）であって、前記第１および第２の粘着テープ（２、４）は、異なった粘着テープ部分から構成されているアセンブリ。
【請求項１９】
請求項１８に記載のアセンブリ（１）であって、前記位置決め要素は、前記粘着テープ（２、４）の角に配置された孔（６）であるアセンブリ。
【請求項２０】
請求項１７に記載のアセンブリ（１）であって、前記第１および第２の粘着テープ（２、４）が略透明であるアセンブリ。
【請求項２１】
請求項１７から２１の１つに記載のアセンブリ（１）であって、前記粘着面（４３、４４）は永続せず、反転可能なタイプの接着剤を有し、圧力によって作動するアセンブリ。
【請求項２２】
請求項１７に記載のアセンブリ（１）であって、前記連結要素（９）が熱可塑性材料でできているアセンブリ。
【請求項２３】
請求項１７に記載のアセンブリ（１）であって、前記連結要素（９）は、略等距離であり、前記それぞれの粘着テープ（２、４）の中央に配置され、前記ヘアエクステンション（Ｃ）は、互いに平行して整列配置されるので、隣接した前記ヘアエクステンション（Ｃ）の毛髪は、互いにもつれないアセンブリ。
【請求項２４】
請求項２１に記載のアセンブリ（１）であって、前記粘着面（４３、４４）に使用される前記接着材料は、前記それぞれの粘着テープ（２、４）上で前記連結要素（９）の前記材料上で生じる力よりも大きい接着力を有するので、後者において、接着材料の残留物が適用の終了後は残らないアセンブリ。
【請求項２５】
請求項２３に記載のアセンブリ（１）であって、前記それぞれの粘着面（４３、４４）に配置されるものの反対側の前記連結要素（９）の面は、その端が前記ヘアエクステンション（Ｃ）の前記毛髪に並列である長手方向のリブ（３）を有するアセンブリ。
【請求項２６】
請求項２５に記載のアセンブリ（１）であって、各々のリブ（３）は略Ｖ型の部分を有するアセンブリ。
【請求項２７】
ヘアエクステンション（Ｃ）の天然の毛髪への適用により毛髪を密集化させるために使われる種類のヘアエクステンション・アプリケータ（１０）であって、＊テープ（２）上でヘアエクステンション（Ｃ）の連結要素（９）、および、分離され、それぞれの連結要素（９）に対応する密集化される髪（７）の受容毛髪（６０）の対応する部分を支える固定された対照的な要素（１２）；および、＊前記固定された要素（１２）に作用する移動可能な圧力要素（１５）であって、前記移動可能な圧力要素（１５）は、ヘアエクステンション（Ｃ）の連結要素（９）およびテープ（２、４）によって囲まれた密集化される（Ｔ）毛髪の受容毛髪（６０）の対応している部分を押圧するのに適当である所定の圧力で作動している空気圧装置によって駆動される圧力要素（１５）からなり、
前記テープ（６１；６４）、前記連結要素（９）、および、前記毛髪の部分（６０）を前記固定された押圧要素（１２、１５）上の所定の位置に配置する手段を備えることにおいて特徴付けられるヘアエクステンション・アプリケータ。
【請求項２８】
請求項２７に記載のアプリケータ（１０）であって、前記押圧要素（１５）によって押圧される場合、それぞれの連結要素（９）を受容するような位置における前記固定された押圧要素（１２、１５）のそれぞれの凹部（７３、７６）からなるアプリケータ。
【請求項２９】
請求項２７に記載のアプリケータ（１９）であって、前記固定された要素および前記押圧要素（１２、１５）は、それらの支持面（１３、１６）でそれぞれのサーミスタ（２４、２５）を備えるアプリケータ。
【請求項３０】
請求項２７に記載のアプリケータ（１０）であって、前記テープを配置するための手段は把持部（６１）からなるアプリケータ。
【請求項３１】
請求項２７に記載のアプリケータ（１０）であって、前記テープを配置するための手段はギザギザ形の止め具（６４）からなるアプリケータ。
【請求項３２】
請求項２７に記載のアプリケータ（１０）であって、前記固定され移動可能な押圧要素（１２、１５）は、取り外し可能なプレート（７１、７２）の上に形成されるそれぞれの支持面（１３、１６）を有するアプリケータ。
【請求項３３】
請求項３２に記載のアプリケータ（１０）であって、各々の取り外し可能なプレート（７１、７２）の下で、シルクスクリーン技術で印刷された熱を生成するために電気的に連結される前記サーミスタ（２４、２５）が存在し、前記プレート（７１、７２）は、高い熱伝導率を有する薄い金属材料であるアプリケータ。
【請求項３４】
請求項３２に記載のアプリケータ（１０）であって、前記第１の取り外し可能なプレート（７１）は、図面において、第１のテープ（２）に配置される前記連結要素（９）を受容するように前もって設定される基本的に楕円形または楕円である複数の凹部（７３）を有し、前記第２の取り外し可能なプレート（７２）は、各々が前記凹部（７３）に対応する複数のパンチ（７５）を有し、前記パンチ（７５）は、それぞれの凹部（７３）に適合するような構成を有し、その上面に略楕円形または楕円形状で、本質的に刃縁（７７）を有する凹部（７６）を有するアプリケータ。
【請求項３５】
請求項２７に記載のアプリケータ（１０）であって、前記固定された要素（１２）上の前記支持面（１３）は、軟らかい、柔軟性をもつ材料であるアプリケータ。
【請求項３６】
請求項３３、３４の１つ、および、請求項３６に記載のアプリケータ（１９）であって、前記第２のプレート（７２）は、前記第１の支持面（１３）の前記柔軟性をもつ表面と協働する対の刃縁（８１）に輪郭をつけられる各々の中央凹部（７６）を有するパンチ（７５）を有するアプリケータ。
【国際調査報告】
2007516361.tif 000028
2007516361.tif 000029
2007516361.tif 000030
2007516361.tif 000031
2007516361.tif 000032